(57)【要約】【課題】  読取面における読取用光源からの照射光の照度分布（配光特性）と基準面における照度分布（配光特性）との差異を排除して正確なシェーディング補正データを生成する。【解決手段】基準面を前記読取ユニットの光学系の焦点合わせした位置と焦点ズレした位置とに２つ配設し、該２つの基準面から読取ったデータを補正してそれぞれの補正データを生成する補正手段と、前記２つの基準面から読取ったデータに基づきゴミが付着しているのか否かを判定する判定手段と、前記ゴミが付着していないと判定された場合は前記焦点合わせした位置の基準面から読取ったデータに基づいて前記シェーディング補正データを生成し、前記ゴミが付着していると判定された場合は前記焦点ズレした位置の基準面から読取ったデータと前記補正手段で生成した補正データとに基づいて前記シェーディング補正データを生成する生成手段とを備えた。【選択図】  図１
2005303923.tif 000002
【特許請求の範囲】
【請求項１】
読取ユニットで基準面から読取ったデータを基にシェーディング補正データを生成し、読取面から読取った原読取画像データを該シェーディング補正データを用いてシェーディング補正して正規読取画像データを得る画像読取装置において、
前記基準面を前記読取ユニットの光学系の焦点合わせした位置と焦点ズレした位置とに２つ配設し、該２つの基準面から読取ったデータを補正してそれぞれの補正データを生成する補正手段と、
前記２つの基準面から読取ったデータに基づきゴミが付着しているのか否かを判定する判定手段と、
前記ゴミが付着していないと判定された場合は前記焦点合わせした位置の基準面から読取ったデータに基づいて前記シェーディング補正データを生成し、前記ゴミが付着していると判定された場合は前記焦点ズレした位置の基準面から読取ったデータと前記補正手段で生成した補正データとに基づいて前記シェーディング補正データを生成する生成手段と、
を備えたこと特徴とする画像読取装置。
【発明の詳細な説明】
【技術分野】
【０００１】
本発明は、画像読取装置に関し、特にシェーディング補正機能を有する画像読取装置に関する。
【背景技術】
【０００２】
従来、画像読取装置において、正確なシェーディング補正を行なうために、読取ユニットの光学系である蛍光灯、集光レンズ及び読取素子（以下、ＣＣＤ：Charge  Coupled  Diod）を読取面に対して焦点合わせしたのに対して、シェーディング補正データ用の基準面を当該光学系の焦点ズレした位置に配設する技術が提案されている。
【０００３】
これは、シェーディング補正に際し、読取ユニットでシェーディング補正用の基準面を読取る場合、焦点ボケとすることで解像度を低下させ、当該基準面に汚れ、塵、ゴミ等が付着していてもその識別をできなくして有効なシェーディング補正データを生成できるというものである（特許文献１参照）。
【特許文献１】特開平０６−１７８０５２号公報
【発明の開示】
【発明が解決しようとする課題】
【０００４】
しかしながら、上述した従来技術では、シェーディング補正用の基準面が焦点ズレした位置にあるために、読取面における読取用光源からの照射光の照度分布（配光特性）と基準面における照度分布（配光特性）とに差異が生じ、正確なシェーディング補正ができなかった。
【０００５】
そこで本発明は、上述した問題に鑑み、シェーディング補正用の基準面を読取ユニットの光学系の焦点合わせした位置と焦点ズレした位置とに設け、照度分布（配光特性）の差異を排除して正確なシェーディング補正データを生成し、常に高精度、高画質の画像を読取ることが可能な画像読取装置を提供することを目的とする。
【課題を解決するための手段】
【０００６】
本発明は、読取ユニットで基準面から読取ったデータを基にシェーディング補正データを生成し、読取面から読取った原読取画像データを該シェーディング補正データを用いてシェーディング補正して正規読取画像データを得る画像読取装置を前提としている。
【０００７】
本発明は、前記基準面を前記読取ユニットの光学系の焦点合わせした位置と焦点ズレした位置とに２つ配設し、該２つの基準面から読取ったデータを補正してそれぞれの補正データを生成する補正手段と、前記２つの基準面から読取ったデータに基づきゴミが付着しているのか否かを判定する判定手段と、前記ゴミが付着していないと判定された場合は前記焦点合わせした位置の基準面から読取ったデータに基づいて前記シェーディング補正データを生成し、前記ゴミが付着していると判定された場合は前記焦点ズレした位置の基準面から読取ったデータと前記補正手段で生成した補正データとに基づいて前記シェーディング補正データを生成する生成手段とを備えた構成としている。
【０００８】
このようにすれば、シェーディング補正用の基準面を読取ユニットの光学系の焦点合わせした位置と焦点ズレした位置とに設け、照度分布（配光特性）の差異を排除して正確なシェーディング補正データを生成し、常に高精度、高画質の画像を読取ることが可能となる。
【発明の効果】
【０００９】
シェーディング補正用の基準面を読取ユニットの光学系の焦点合わせした位置と焦点ズレした位置とに設け、照度分布（配光特性）の差異を排除して正確なシェーディング補正データを生成し、常に高精度、高画質の画像を読取ることが可能となる。
【発明を実施するための最良の形態】
【００１０】
以下、本発明の実施の形態を図面にしたがって詳細に説明する。
【００１１】
図１は本発明の実施の形態における画像読取装置の内部構造を示す概略図であり、図２は本発明の実施の形態における画像読取装置の概略機能ブロック図であり、図３は本発明の実施の形態における画像読取装置の動作を示すフロー図である。
【００１２】
図１に示すように、画像読取装置の本体の上方開口部には読取面を形成するガラス板８が設けられ、また、蛍光灯９、集光レンズ１０及びＣＣＤ１は読取ユニット１１を構成しており、蛍光灯９は副走査方向に往復移動できるようになっている。
【００１３】
したがって、原稿を読取面にセットし、蛍光灯９を副走査方向に移動させれば、当該読取ユニット１１の光学系が読取面に焦点合わせされているので、当該原稿画像を読取ることができる。すなわち、蛍光灯９から光照射し、原稿からの反射光を集光レンズ１０を通してＣＣＤ１に入射させれば、電気信号として原稿画像を読取れることになる。
【００１４】
ところで、ＣＣＤ１は主走査方向に配列されているが、当該主走査方向の蛍光灯９の発光特性はＣＣＤ１に対して均一ではないためにシェーディング補正機能を備える必要が生じる。
【００１５】
上記シェーディング補正機能はシェーディング補正用の基準面を読取ってシェーディング補正データとし、当該シェーディング補正データで読取データを補正し、蛍光灯の発光特性の影響を除去できるというものである。
【００１６】
本発明では、シェーディング補正用の基準面を例えば上記読取面を形成するガラス板８の左端の上面側と当該ガラス板８の左端の下面側に配設し、上面側の基準面Ａは読取ユニットの光学系の焦点合わせした位置、下面側の基準面Ｂは焦点ズレした位置にそれぞれ設けている。
【００１７】
以下、本発明の画像読取装置の動作を図２、図３に基づいて説明する。
【００１８】
まず、スタートキーを押し原稿の読取を開始する以前に、基準面Ａからの基準データａをＣＣＤ１で読取りメモリ２に格納し（Ｓ１）、さらに基準面Ｂからの基準データｂをＣＣＤ１で読取りメモリ２に格納する（Ｓ２）。
【００１９】
ここで、基準面Ａから読取った基準データａの照度分布（配光特性）は、読取面における読取用光源からの照射光の照度分布（配光特性）と一致している。
【００２０】
また、基準面Ａは読取ユニット１１の焦点合わせした位置にあるため、ゴミ等が付着していれば、図４（Ａ）に示すように当該基準面Ａから読取った基準データａには急峻な落込み部分Ｘが生じることになるが、一方で、基準面Ｂは読取ユニット１１の焦点ズレした位置にあるため、ゴミ等が付着していたとしもピンボケするため、図４（Ｂ）に示すように、当該基準面Ｂから読取った上記基準データｂには急峻な落込み部分は生じず滑らかな分布を示す。
【００２１】
上記基準データａを当該基準データａの低周波成分のみを取り出す補正手段であるローパスフィルタ３にかけてゴミ付着による急峻な変動部分を排除した配光特性データαを抽出して補正し（Ｓ３）、メモリ２に書き込んでおく。同様に、上記基準データｂをローパスフィルタ３にかけて配光特性データβを抽出して補正し（Ｓ４）、メモリ２に書き込んでおく。
【００２２】
上記メモリ２に格納されている基準データａと基準データｂの差分データを差分算出手段４で算出する（Ｓ５）。
【００２３】
上記差分算出手段４で算出した差分データを当該差分データの高周波成分のみを取り出すハイパスフィルタ５にかけて、ゴミ付着等による急峻な変動成分（基準データの急峻な落込み部分）を抽出し（Ｓ６）、判定手段６は当該抽出した変動成分が所定の閾値以下であるか否かを判定する（Ｓ７）。
【００２４】
判定処理Ｓ７で上記変動成分が所定の閾値以下であると判定された場合は、生成手段７はゴミ等は付着していないものとし、基準データａをシェーディング補正データとして生成する（Ｓ８）。
【００２５】
一方、判定処理Ｓ８で上記変動成分が所定の閾値以上となった場合、生成手段７はゴミ等が付着しているものとし、基準データｂと上記配光特性データαと上記配光特性データβとに基づく以下の算出式（１）に基づいてシェーディング補正データを生成する（Ｓ９）。
【００２６】
シェーディング補正データ＝α／β×ｂ・・・・（１）
上式は、焦点ズレさせた位置の基準面Ｂから読取った滑らかな分布を示す基準データｂを用いて、配光特性データαと配光特性データβの比から、本来ならばゴミ等が付着していれば急峻な落込み部分を生じるはずの基準面Ａからの基準データを急峻な落込み部分のない滑らかな分布の基準データとして予測することができることを意味する。
【００２７】
上式に基づいて予測することで、ゴミ等の付着による影響を排除し、且つ、読取面における読取用光源からの照射光の照度分布（配光特性）と一致しているシェーディング補正データを生成することができる。
【００２８】
このようにすれば、シェーディング補正用の基準面を読取ユニットの光学系の焦点合わせした位置と焦点ズレした位置とに設け、照度分布（配光特性）の差異を排除して正確なシェーディング補正データを生成し、常に高精度、高画質の画像を読取ることが可能となる。
【００２９】
なお、基準面Ａと基準面Ｂの位置は、基準面Ａを読取ユニットの光学系に焦点合わせした位置に設け、基準面Ｂを焦点ズレした位置に設けるのであれば、上記実施の形態で限定した構成に限られない。
【００３０】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３１】
シェーディング補正用の基準面を読取ユニットの光学系の焦点合わせした位置と焦点ズレした位置とに設け、照度分布（配光特性）の差異を排除して正確なシェーディング補正データを生成し、常に高精度、高画質の画像を読取ることが可能となるので有用である。
【図面の簡単な説明】
【００３２】
【図１】本発明の実施の形態における画像読取装置の内部構造を示す概略図である。
【図２】本発明の実施の形態における画像読取装置の概略機能ブロック図である。
【図３】本発明の実施の形態における画像読取装置の動作を示すフロー図である。
【図４】基準データのイメージ図である。
【符号の説明】
【００３３】
１    ＣＣＤ
３    ローパスフィルタ
６    判定手段
７    生成手段
【図１】
2005303923.tif 000003
【図２】
2005303923.tif 000004
【図３】
2005303923.tif 000005
【図４】
2005303923.tif 000006